(57)【要約】【課題】ヨークのいろいろな位置に容易に嵌めることができる電気機械アクチュエータ用の巻型の提供。【解決手段】本発明は、電気機械アクチュエータ用の巻型、特にリレー用の巻型（２０）に関する。巻型（２０）はＵ形状ヨーク（１０）に接続可能である。ヨーク（１０）の基部（１６）は、２本の腕（１２，１４）間に配置され、巻型（２０）上に巻回可能であるコイル（１８）用のコアを形成する。巻型（２０）は一体構成又は複数部品で構成され、ヨーク（１０）に接続可能、特にラッチ係合可能である。【選択図】図５
2005229114.tif 000002
【特許請求の範囲】
【請求項１】
２本の腕間に配置された基部がコイル用のコアを形成するＵ形状ヨークに接続可能であり、前記コイルを巻回可能である、電気機械アクチュエータ用の巻型において、
該巻型は一体構成又は複数部品で構成され、前記基部に接続可能であることを特徴とする巻型。
【請求項２】
前記巻型は、前記基部を取り囲むと共に互いにラッチ係合して一体になり得る２個の巻型半体を具備することを特徴とする請求項１記載の巻型。
【請求項３】
前記２個の巻型半体は、少なくとも１個の膜状ヒンジにより互いに接続されていることを特徴とする請求項２記載の巻型。
【請求項４】
前記２個の巻型半体は、ロック接続のため、及び前記ヨークの前記基部に前記２個の巻型半体を固定するために相互に対応する捕捉手段をそれぞれ具備することを特徴とする請求項２又は３記載の巻型。
【請求項５】
前記捕捉手段は、捕捉片及び対応する捕捉フックをそれぞれ具備することを特徴とする請求項４記載の巻型。
【請求項６】
前記巻型の前記ボビンホルダは一体構造であり、
該ボビンホルダは、該ボビンホルダの周囲に、該ボビンホルダの全長にわたって延びる開口を具備し、
前記巻型は、前記開口を通って前記ヨークの前記基部上に押圧可能であることを特徴とする請求項１記載の巻型。
【請求項７】
前記ボビンホルダは、一体構造をなすと共に、前記ヨークの前記基部上を弾性膨張で押圧可能であることを特徴とする請求項６記載の巻型。
【発明の詳細な説明】
【技術分野】
【０００１】
本発明は電気機械アクチュエータ用の巻型（coil former）に関し、特に特許請求の範囲の請求項１の前提要件に従ったリレー用の電気機械アクチュエータ用巻型に関する。
【背景技術】
【０００２】
リレーヨークの基部（すなわち水平フランジ）がコイルコアを同時に形成するＵ形状のリレーヨークの場合、巻型は、巻線後にＵ形状のコアの基部に水平に滑り込むことができない。公知の解決策は、垂直方向に嵌まる巻型を具備することである。しかし、この解決策の不利な点は、アーマチュア結合に使用される極面上に巻型を押圧しなければならないので、粒子が極面上に付着して磁石システムの機能を損なうおそれがある。別の解決策は、ヨークを基部で分割し、２体構造とすることである。これにより、巻線後に巻型を基部に嵌めることができる。この解決策の不利な点は、２体コアの結合部が磁気抵抗の増加を招き、磁気回路の損失を招くおそれがある。
【特許文献１】独国特許第８４１６６２９号明細書
【特許文献２】独国特許第１９０４５７９号明細書
【特許文献３】英国特許第９６３８７４号明細書
【特許文献４】欧州特許第９８８８７号明細書
【発明の開示】
【発明が解決しようとする課題】
【０００３】
本発明は、従来技術の不利を回避し、ヨークのいろいろな位置に容易に嵌めることができる電気機械アクチュエータ用巻型を提供することを目的とする。
【課題を解決するための手段】
【０００４】
上述の目的は、特許請求の範囲の独立請求項の特徴項で達成される。本発明によれば、請求項１の特徴を有する電気機械アクチュエータ用巻型は一体構成又は複数部品で構成され、少なくとも部分的に弾性変形する。巻型はヨークに接続可能であり、特にヨークにラッチ係合可能である。巻型は、ラッチ係合又はスナップ係合で一体になり得る例えば２個の巻型半体で構成することができる。任意であるが、２個の巻型半体は膜状ヒンジによって互いに接続することができるので、ヨーク上で共に折曲げ可能であり、互いにラッチ係合可能である。２個の巻型半体は相互に対応する捕捉手段をそれぞれ具備し、この捕捉手段により、ヨーク上の設定位置で巻型半体を取外し可能にラッチ係合することが可能になる。捕捉手段は、例えば捕捉片を収容するよう設けられるそれぞれ捕捉フックからなってもよい。捕捉手段は、捕捉片、フック又は両方の材料の弾性変形によりラッチ係合する。
【０００５】
本発明の別の実施形態において、巻型は一体構造をなし、弾性膨張によりヨークの基部上で押圧することができる。この目的のために、巻型はその周囲に、ヨーク上に完全に嵌まって元の形状に跳ね返るまで、好適には巻型への押圧中に膨張する開口を有する。
【発明の効果】
【０００６】
本発明に従った巻型は、極めて簡単な構造を有し、プラスチック材料で安価に製造でき、従来の巻型では嵌めることができなかったヨーク上の複数位置に容易に固定することができるという利点を示す。
【０００７】
本発明の更なる特徴及び利点は、従属請求項及び図の以下の説明により明らかになる。
【発明を実施するための最良の形態】
【０００８】
以下、添付図面を参照して本発明の好適な実施形態を説明する。
【０００９】
図１及び図２は、本発明の典型的な一実施形態に従った巻型を示し、図１はヨーク上に組み立てられコイルが形成された巻型を示す斜視図であり、図２は組立前の巻型及びヨークの斜視図である。
【００１０】
図３及び図４は、本発明の別の典型的な実施形態に従った巻型を示し、図３は組立前の巻型及びヨークの斜視図であり、図４はヨーク上に組み立てられた巻型の斜視図である。
【００１１】
図５ないし図７は、本発明のさらに別の典型的な実施形態に従った巻型を示し、図５は組立前の巻型及びヨークの斜視図であり、図６はヨークに部分的に組み立てられた巻型の斜視図であり、図７はヨーク上に組み立てられた巻型の斜視図である。
【００１２】
図１は電気機械アクチュエータすなわちリレーのＵ形状ヨーク１０を示し、ヨーク１０の２本の腕１２，１４間に配置された基部１６がその上に配置されたコイル１８用のコイル芯を同時に形成する。コイル１８は、基部１６上に滑りすなわち押圧された巻型２０上に巻回される。図は、コイル１８が巻回された巻型２０が巻線準備状態の基部１６上で押圧できないことを示している。というのは、ヨーク腕１２，１４が基部１６に対して90°曲げられているからである。
【００１３】
図２に示されるように、本発明の典型的な一実施形態に従った巻型２０は、ヨーク１０の基部１６上に嵌まることができる。この目的のために、巻型２０はその周囲に開口２２を有し、この開口２２はヨーク１０の基部１６の外周に対応する。巻型２０はＵ形状のボビンホルダ２４という変形を有し、ボビンホルダ２４の幅はヨーク１０の基部１６の幅に対応する。ボビンホルダ２４は、円盤状の区切り要素２６，２８によりＵ形状の輪郭の両側面が横に位置する。区切り要素２６，２８は、全ての地点で巻回完了したコイル１８を超えて突出するように寸法が設定されるのが有利である。区切り要素２６，２８はそれぞれ、ボビンホルダ２４の表面に対して直角に配置され、ボビンホルダ２４の内面と面一になるので、ボビンホルダ２４は、組立状態において基部１６の３面と平坦となる内面で載ることができる。
【００１４】
区切り要素２６．２８はそれぞれ、開口２２に関連した縁に面取りを有するので、巻型２０はヨーク上に容易に押圧可能である。開口２２に隣接する区切り要素２６，２８上には、開口２２上を部分的に延びる捕捉片３０が設けられる。開口が狭いため、Ｕ形状ボビンホルダ２４は、ヨーク１０上に押圧される際に開く方向に曲げられる。巻型２０は押圧完了すると直ちに初期状態に戻り、固定手段として機能する捕捉片３０によって基部１６上の設定位置に保持される。巻型２０がこのようにして一旦押圧完了すると、巻型２０上にコイル１８を巻くことができる。
【００１５】
図３は、２個の巻型半体３２，３４が互いにラッチ結合される２体の巻型２０の分解斜視図である。巻型２０は水平方向に分割され、各半体は。ボビンホルダ２４の半分及び２個の区切り要素２６，２８の半分を有する。２個の巻型半体３２，３４の各々は、互いに隣接配置された２個の捕捉片３６を有する。各捕捉片３６は他の巻型半体の対応捕捉フック３８と対応するので、巻型が基部１６に押圧されると（図４参照）、遊びを伴わないで２個の巻型半体３２，３４が互いにラッチ係合することができる。
【００１６】
２個の捕捉接続はそれぞれ、巻型２０の２個の横区切り要素２６の対向する分割縁４０に配置される。各巻型半体３２，３４は、区切り要素２６の一面の２個の捕捉片３６と、他面の２個の捕捉フック３８とを有する。２個の巻型半体３２，３４は互いに交換可能に構成される。
【００１７】
図５ないし図７は、本発明のさらに別の実施形態を示す。２個の膜状ヒンジにより２個の巻型半体３２，３４が互いに接続されるので、巻型２０は一方の巻型半体３２がヨーク１０の基部１６に嵌まることができ（図６参照）、直ぐに他方の巻型半体３４が１８０°回転して最初の巻型半体３２にラッチ係合することができる（図７参照）。
【００１８】
ここでも、捕捉片３６及び対応する捕捉フック３８がそれぞれ設けられるので、２個の巻型半体３２，３４は遊びを伴わないで互いにラッチ係合することができる。
【００１９】
２個の膜状ヒンジ４２はそれぞれ、区切り要素２６の分割縁４０の一体に配置され、閉じた状態で互いに載る。区切り要素はヒンジ側でより分厚くでき、より良好な安定性を提供する（図６参照）。
【図面の簡単な説明】
【００２０】
【図１】本発明の典型的な一実施形態に従った巻型を示し、ヨーク上に組み立てられコイルが形成された巻型を示す斜視図である。
【図２】本発明の典型的な一実施形態に従った巻型を示し、組立前の巻型及びヨークの斜視図である。
【図３】本発明の別の典型的な実施形態に従った巻型を示し、組立前の巻型及びヨークの斜視図である。
【図４】本発明の別の典型的な実施形態に従った巻型を示し、ヨーク上に組み立てられた巻型の斜視図である。
【図５】本発明のさらに別の典型的な実施形態に従った巻型を示し、組立前の巻型及びヨークの斜視図である。
【図６】本発明のさらに別の典型的な実施形態に従った巻型を示し、ヨークに部分的に組み立てられた巻型の斜視図である。
【図７】本発明のさらに別の典型的な実施形態に従った巻型を示し、ヨーク上に組み立てられた巻型の斜視図である。
【符号の説明】
【００２１】
１０        Ｕ形状ヨーク
１２，１４  腕
１６        基部
１８        コイル
２０        巻型
２２        開口
２４        ボビンホルダ
３２，３４  巻型半体
３６        捕捉片
３８        捕捉フック
４２        膜状ヒンジ
【図１】
2005229114.tif 000003
【図２】
2005229114.tif 000004
【図３】
2005229114.tif 000005
【図４】
2005229114.tif 000006
【図５】
2005229114.tif 000007
【図６】
2005229114.tif 000008
【図７】
2005229114.tif 000009